(57)【要約】      （修正有）【課題】洗濯・脱水・乾燥のそれぞれの行程内容に適した水槽傾斜角度を任意に設定でき、また、洗濯兼脱水槽からの衣類の取出し作業を行い易くできる洗濯乾燥機を得る。【解決手段】外箱１内にその四隅から吊下げ手段４によって水槽２を吊下げ、底部に攪拌翼を配設した洗濯兼脱水槽を前記水槽２内に配設し、洗濯兼脱水槽の下方にギヤ、クラッチなどの機構を介してモータ３を配設した洗濯乾燥機において、前記吊下げ手段４は、その吊下げ長の少なくとも一部をワイヤ６やロープなどの可撓性索条により構成し、この可撓性索条を外箱１内に配設した巻上げ手段８に巻回して吊下げ長を調節自在とした。【選択図】図１
2007312836.tif 000002
【特許請求の範囲】
【請求項１】
外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設した洗濯乾燥機において、前記吊下げ手段は、その吊下げ長の少なくとも一部をワイヤやロープなどの可撓性索条により構成し、この可撓性索条を外箱内に配設した巻上げ手段に巻回して吊下げ長を調節自在としたことを特徴とする洗濯乾燥機。
【請求項２】
前記外箱の四隅に配設する吊下げ手段のうち可撓性索条を有するものは、左右または前後に配置され、その一方が巻上げ手段に結合されることを特徴とする請求項１または請求項２に記載の洗濯乾燥機。
【発明の詳細な説明】
【技術分野】
【０００１】
本発明は、洗濯乾燥機の特に水槽の吊下げ支持手段に関するものである。
【背景技術】
【０００２】
一般に、洗濯乾燥機は外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設したもので、前記吊下げ手段は、例えばダンパ（バネ部材）を有する吊り棒で構成されており、水槽はこの吊り棒により外箱内でその四隅から揺動自在に懸下されている（例えば特許文献１参照）。
【０００３】
この状態で水槽内には回転中心軸を鉛直方向に有する洗濯兼脱水槽が回転自在に支持される。そして、洗濯行程や脱水行程では洗濯物である衣類の洗濯兼脱水槽内での片寄りによるアンバランスによって、洗濯兼脱水槽や水槽に大きな振動が発生するが、吊り棒によってこの振動が外箱に伝わらないようにしている。
【特許文献１】特開平２００３−３１１０６５号公報（図１）
【発明の開示】
【発明が解決しようとする課題】
【０００４】
洗濯兼脱水槽の形状は鉛直方向に長い円筒型で、かつ、洗濯兼脱水槽の回転中心軸が鉛直方向を向いているため、洗濯乾燥時において衣類の鉛直方向への回転移動が少なくなる傾向にあり、その結果、衣類が洗濯兼脱水槽内で上下方向に入れ替りにくくなって、衣類に皺が生じたり、乾燥ムラが生じたりし易かった。
【０００５】
また、洗い行程でも、ほとんどが水平方向の単純な水流であり、洗浄効果が十分ではなかった。
【０００６】
さらに、洗濯兼脱水槽が長い円筒型であるため、このような形状の槽が垂直に配設されていると、槽内の衣類を取出す際、特に底部のものを取出しにくく、使い勝手がよくなかった。
【０００７】
本発明は前記従来例の不都合を解消するものとして、乾燥行程時には洗濯兼脱水槽内の衣類が上下方向に入れ替りやすく、衣類に皺が生じたり、乾燥ムラが発生することを防止でき、また、洗い行程では水流を複雑にできてよりいっそうの洗浄効果が期待でき、さらに洗濯兼脱水槽内からの衣類の取出し作業を行いやすくできる洗濯乾燥機を提供することを目的とする。
【課題を解決するための手段】
【０００８】
本発明は前記目的を達成するものとして、外箱内にその四隅から吊下げ手段によって水槽を吊下げ、底部に攪拌翼を配設した洗濯兼脱水槽を前記水槽内に配設し、洗濯兼脱水槽の下方にギヤ、クラッチなどの機構を介してモータを配設した洗濯乾燥機において、前記吊下げ手段は、その吊下げ長の少なくとも一部をワイヤやロープなどの可撓性索条により構成し、この可撓性索条を外箱内に配設した巻上げ手段に巻回して吊下げ長を調節自在としたことを特徴とする。
【発明の効果】
【０００９】
水槽は、外箱内で四隅のうちの一部を巻上げ手段を介して剛性の少ないワイヤやロープなどの可撓性索条により外箱から吊下げられるから、この可撓性索条を巻き上げることで外箱内で水槽が傾斜する。よって、洗濯兼脱水槽の回転中心軸が鉛直方向ではなく、斜め方向となるから、乾燥行程時には洗濯兼脱水槽内の衣類が鉛直方向に回転移動しやすくなり、皺の発生や乾燥ムラを抑えることができる。
【００１０】
また、洗い行程でも洗濯兼脱水槽の回転中心軸が斜め方向となることで、水流が複雑となって洗浄効果が増大する。
【００１１】
さらに、水槽を手前に傾斜させることで、洗濯兼脱水槽内の衣類を取出す際に槽の上部開口面が使用者の方に斜めに向き、洗濯兼脱水槽の手前の高さが低くなる。これにより、槽内を見易くなって、衣類の取出し作業が行い易くなる。
【発明を実施するための最良の形態】
【００１２】
以下、図面について本発明の実施形態を詳細に説明する。図１は本発明の洗濯乾燥機の第１実施形態を示す側面側の説明図、図２は同上第２実施形態の背面側の説明図で、洗濯乾燥機の全体構成は既に説明したとおり、洗濯乾燥機は外箱１内にその四隅から吊下げ手段４によって水槽２を吊下げ、図示は省略するが底部に攪拌翼を配設した洗濯兼脱水槽を前記水槽２内に配設し、洗濯兼脱水槽の下方にギヤ、クラッチなどの機構を介してモータ３を配設している。図中５は外箱１の上部後方に配設したトップカバーを示す。
【００１３】
本発明は外箱１内の四隅に配設される吊下げ手段４の、四隅のうちの一部をワイヤ６やロープなどの可撓性索条を有するもので構成する。図１はその第１実施形態を示し、吊下げ手段４は、水槽２の前側に位置するものについては、従来と同様に吊り棒７とその下部に結合される防振バネ４ａとで構成し、吊り棒７の上部を支持片を介して外箱１に係止し、防振バネ４ａを支持片を介して水槽２に係止する。
【００１４】
水槽２の後側に位置するものについては、水槽２の下方部に支持片を介して係止される防振バネ４ａの上部に吊り棒７を結合し、さらにその上部にワイヤ６を結合した。
【００１５】
そして、トップカバー５の下方に配設したアクチュエータなどによる巻上げ手段８に前記ワイヤ６を巻回する。これにより、水槽２は後方の吊下げ手段４によって後部が懸架長調節自在に吊下げられる。
【００１６】
次に動作について説明する。例えば乾燥行程時には、後部に配設してある巻上げ手段８を駆動して、これに巻回してあるワイヤ６を巻き上げれば、水槽２を懸架しているワイヤ６の長さが短くなり、水槽２の後部が持ちあがる。
【００１７】
その結果、水槽２は前方に向って斜めに傾斜するから、水槽２内の洗濯兼脱水槽はその回転中心軸が鉛直方向から斜め方向に変換され、洗濯兼脱水槽内の衣類は効率よく上下方向に入れ替り、乾燥効率が向上する。
【００１８】
また、洗い行程時にも水槽２を傾斜させることで、水流の方向が複雑になり、洗浄効果が増大する。
【００１９】
さらに、洗濯終了時に洗濯兼脱水槽内から衣類を取出す際にも、水槽２を手前に傾斜させれば、洗濯兼脱水槽の上部開口の手前側が低位置となると同時に洗濯兼脱水槽内が見やすくなり、衣類の取出し作業が行い易くなる。
【００２０】
一方、脱水行程時には、水槽２を水平に位置させ洗濯兼脱水槽の回転中心軸を鉛直方向に保持することで、洗濯兼脱水槽を水平に回転させて遠心力を有効に活用させ脱水効率が低下しないようにする。
【００２１】
図２は第２実施形態を示し、ワイヤ６を用いる吊下げ手段４を水槽２の左右に位置させる。そして、一方の吊下げ手段（図示の例では右側）のワイヤ６をアクチュエータなどの巻上げ手段８から水平に引出して滑車に巻回した後、下方に垂下させて先端の防振バネ４ａを支持片を介して水槽２の下方部に係止して駆動側とし、巻上げ手段８を駆動すると水槽２の一方の側が吊上げられて水槽２の重心が移動する。
【００２２】
これに追随して他方の側のワイヤ６で懸架された側がバランスをとるようにして動き水槽２が傾斜する。この左右吊り方式は、重心移動が少ないため、巻上げ手段８の駆動荷重を軽減できる。一方、前記した前後吊り方式は巻上げ手段８の駆動荷重は大きいが、水槽２の移動範囲を小さくでき、省スペース化が図れる。
【００２３】
なお、本発明の吊下げ手段４は、前記のように吊り棒７にワイヤ６を結合するものであるが、結合手段としては、第１例として図３のように接続金具９を使用してワイヤ６の下部をボルト１０で接続金具９に挟み込んで結合し、吊り棒７の上部をねじ部１１に形成し、このねじ部１１を接続金具９に形成したねじ孔に螺合する。
【００２４】
または、第２例として図４に示すように接続金具９の吊り棒７との結合部について、係止孔１２を形成するとともに、吊り棒７の上端をフック部７ａに形成し、この係止孔１２にフック部７ａを掛止することで、接続金具９を介して吊り棒７とワイヤ６とを結合することもできる。
【００２５】
さらに、第３例として図５に示すように接続金具を使用せず、ワイヤ６の下部もフック部６ａに形成し、このフック部６ａと吊り棒７のフック部７ａを直接絡み合わせて接続することもできる。
【図面の簡単な説明】
【００２６】
【図１】本発明の洗濯乾燥機の第１実施形態を示す側面側の説明図である。
【図２】本発明の洗濯乾燥機の第２実施形態を示す背面側の説明図である。
【図３】吊下げ手段の第１例を示す要部の縦断正面図である。
【図４】吊下げ手段の第２例を示す要部の縦断正面図である。
【図５】吊下げ手段の第３例を示す要部の縦断正面図である。
【符号の説明】
【００２７】
１  外箱                        ２  水槽
３  モータ                      ４  吊下げ手段
４ａ  防振バネ
５  トップカバー                ６  ワイヤ
６ａ  フック部
７  吊り棒                      ７ａ  フック部
８  巻上げ手段                  ９  接続金具
１０  ボルト                    １１  ねじ部
１２  係止孔
【図１】
2007312836.tif 000003
【図２】
2007312836.tif 000004
【図３】
2007312836.tif 000005
【図４】
2007312836.tif 000006
【図５】
2007312836.tif 000007